(57)【要約】【課題】閉じ込め救出時にかご内の乗客に注意喚起のアナウンスを行うエレベータ閉じ込め救出時の注意喚起装置を得る。【解決手段】かご１と、かごドア２と、エレベータ電源装置３に接続され、エレベータの通常運転中に充電されるアナウンス装置用バッテリー４と、アナウンス装置用バッテリーに接続され、エレベータの通常運転中は電源遮断状態にあり、閉じ込め故障発生時には電源投入状態となるアナウンス装置５と、アナウンス装置によりかご内の乗客に注意を喚起するアナウンスを流すスピーカー６と、かごドアが開いたことを検出する戸開検出装置７、８とを備え、エレベータの閉じ込め故障が発生してエレベータ電源が遮断された時、アナウンス装置の電源が投入され、戸開検出装置がかごドアが開いたことを検出すると、アナウンス装置によりかご内の乗客に注意を喚起するアナウンスを流す。【選択図】図２
2011051705.tif 000002
【特許請求の範囲】
【請求項１】
エレベータのかごと、
かごドアと、
エレベータの電源装置に接続され、エレベータの通常運転中に充電されるアナウンス装置用バッテリーと、
前記アナウンス装置用バッテリーに接続され、エレベータの通常運転中は電源遮断状態にあり、閉じ込め故障発生時には電源投入状態となるアナウンス装置と、
前記かごに設けられ、前記アナウンス装置によりかご内の乗客に注意を喚起するアナウンスを流すスピーカーと、
前記かごドアが開いたことを検出する戸開検出装置とを備え、
エレベータの閉じ込め故障が発生してエレベータ電源が遮断された時、前記アナウンス装置の電源が投入され、かつ前記戸開検出装置が前記かごドアが開いたことを検出すると、前記アナウンス装置によりかご内の乗客に注意を喚起するアナウンスを流すようにしたことを特徴とするエレベータ閉じ込め救出時の注意喚起装置。
【請求項２】
エレベータのかごと、
かごドアと、
前記かごの上部に設けられたかご上電源装置と、
前記かごの上部に設けられ、前記かご上電源装置に接続されてエレベータの通常運転中に充電されるアナウンス装置用バッテリーと、
前記かごの上部に設けられ、前記アナウンス装置用バッテリーに接続されてエレベータの通常運転中は電源遮断状態にあり、閉じ込め故障発生時には電源投入状態となるアナウンス装置と、
前記かごの上部に設けられ、前記アナウンス装置によりかご内の乗客に注意を喚起するアナウンスを流すスピーカーと、
前記かごドアが開いたことを検出する戸開検出装置とを備え、
エレベータの閉じ込め故障が発生してエレベータ電源が遮断された時、前記アナウンス装置の電源が投入され、かつ前記戸開検出装置が前記かごドアが開いたことを検出すると、前記アナウンス装置によりかご内の乗客に注意を喚起するアナウンスを流すようにしたことを特徴とするエレベータ閉じ込め救出時の注意喚起装置。
【請求項３】
かごドアが開いたことを検出する戸開検出装置は、かごの上部に設けられたアナウンス装置側センサーと、かごドアの上部に設けられたかごドア側センサーとからなることを特徴とする請求項１又は請求項２記載のエレベータ閉じ込め救出時の注意喚起装置。
【請求項４】
アナウンス装置によるかご内の乗客に注意を喚起するアナウンスは、アナウンス装置の電源が遮断されるまで、継続的に流すようにしたことを特徴とする請求項１〜請求項３のいずれかに記載のエレベータ閉じ込め救出時の注意喚起装置。
【発明の詳細な説明】
【技術分野】
【０００１】
この発明は、閉じ込め故障が発生し、その救出時にかご内の乗客に確実に注意喚起を行うエレベータ閉じ込め救出時の注意喚起装置に関するものである。
【背景技術】
【０００２】
従来、エレベータの閉じ込め故障が発生した時、エレベータのかごと乗場床との間に段差が発生する場合があるが、かご内に閉じ込められている乗客は、段差に気付かず、閉じ込め救出時に段差に躓いてしまうというケースが発生する可能性がある。そこで、エレベータの閉じ込め故障が発生した時に、かご内に閉じ込められている乗客に段差に注意するように促すアナウンスを流すことが考えられる。しかしながら、閉じ込め故障発生時は、エレベータの電源が遮断された状態で救出が実施されるため、自動でアナウンスを流すことはできなかった。
【０００３】
また、従来技術として、エレベータが床ずれ故障を発生した時に、床ずれを検出し、かご敷居と乗場敷居の間を照明して利用者に知らせることにより、利用者が床ずれに気づき、利用者の災害を未然に防止するエレベータの安全装置が知られている（例えば、特許文献１参照）。また、エレベータの乗かごの敷居に発光色の異なった発光体を複数個埋設し、着床誤差を段階的に検出し、この着床誤差の大きさに応じて、発光体の発光色を変更して点灯するようにしたエレベータの表示装置が知られている（例えば、特許文献２参照）。また、エレベータの着床時に、かご床と乗場床との間に、予め定めた高さを越えた段差があることを、音声あるいは視覚による表示等により、乗客の降車時の安全性を向上させるようにしたエレベータの着床表示装置が知られている（例えば、特許文献３参照）。
【先行技術文献】
【特許文献】
【０００４】
【特許文献１】特開平７−２５２０６５号公報
【特許文献２】特開平９−３０７６１号公報
【特許文献３】特開平１０−１９４６４１号公報
【発明の概要】
【発明が解決しようとする課題】
【０００５】
従来技術のエレベータの安全装置又はエレベータの表示装置は、床ずれ又は着床誤差を利用者に照明又は発光色により知らせるものであり、閉じ込め故障発生時のようにエレベータ電源が遮断された状態を想定したものではない。また、従来技術のエレベータの着床表示装置は、着床時に、かご床と乗場床との間に段差があることを、音声あるいは視覚による表示等により、乗客の降車時の安全性を向上させたものではあるが、エレベータ電源が生きている時では無く、閉じ込め故障発生時のようにエレベータ電源が遮断された状態では、音声あるいは視覚による表示等は不可能なものである。
【０００６】
この発明は、上述のような課題を解決するためになされたもので、閉じ込め故障が発生しエレベータ電源が遮断された状態であっても、閉じ込め救出時にかご内の乗客に確実に注意喚起のアナウンスを行えるようにしたエレベータ閉じ込め救出時の注意喚起装置を提供するものである。
【課題を解決するための手段】
【０００７】
この発明に係るエレベータ閉じ込め救出時の注意喚起装置においては、エレベータのかごと、かごドアと、エレベータの電源装置に接続され、エレベータの通常運転中に充電されるアナウンス装置用バッテリーと、アナウンス装置用バッテリーに接続され、エレベータの通常運転中は電源遮断状態にあり、閉じ込め故障発生時には電源投入状態となるアナウンス装置と、かごに設けられ、アナウンス装置によりかご内の乗客に注意を喚起するアナウンスを流すスピーカーと、かごドアが開いたことを検出する戸開検出装置とを備え、エレベータの閉じ込め故障が発生してエレベータ電源が遮断された時、アナウンス装置の電源が投入され、かつ戸開検出装置がかごドアが開いたことを検出すると、アナウンス装置によりかご内の乗客に注意を喚起するアナウンスを流すようにしたものである。
【０００８】
また、エレベータのかごと、かごドアと、かごの上部に設けられたかご上電源装置と、かごの上部に設けられ、かご上電源装置に接続されてエレベータの通常運転中に充電されるアナウンス装置用バッテリーと、かごの上部に設けられ、アナウンス装置用バッテリーに接続されてエレベータの通常運転中は電源遮断状態にあり、閉じ込め故障発生時には電源投入状態となるアナウンス装置と、かごの上部に設けられ、アナウンス装置によりかご内の乗客に注意を喚起するアナウンスを流すスピーカーと、かごドアが開いたことを検出する戸開検出装置とを備え、エレベータの閉じ込め故障が発生してエレベータ電源が遮断された時、アナウンス装置の電源が投入され、かつ戸開検出装置がかごドアが開いたことを検出すると、アナウンス装置によりかご内の乗客に注意を喚起するアナウンスを流すようにしたものである。
【０００９】
また、かごドアが開いたことを検出する戸開検出装置は、かごの上部に設けられたアナウンス装置側センサーと、かごドアの上部に設けられたかごドア側センサーとからなるものである。
【００１０】
また、アナウンス装置によるかご内の乗客に注意を喚起するアナウンスは、アナウンス装置の電源が遮断されるまで、継続的に流すようにしたものである。
【発明の効果】
【００１１】
この発明によれば、閉じ込め故障時のようにエレベータ電源が遮断された状態でも、閉じ込め救出時にかご内の乗客に確実に注意喚起のアナウンスを行えるので、保守員が緊急の救出作業に追われて、かご内の乗客に対する注意喚起を怠っても、確実にアナウンスによる注意喚起を自動的或いは継続的に行うことができ、災害を未然に防止することができる効果がある。
【図面の簡単な説明】
【００１２】
【図１】この発明の実施例１におけるエレベータ閉じ込め救出時の注意喚起装置を示すエレベータのかごの縦断面図である。
【図２】この発明の実施例１におけるエレベータ閉じ込め救出時の注意喚起装置を示すエレベータのかごの平面図である。
【図３】この発明の実施例１におけるエレベータ閉じ込め救出時の注意喚起装置の動作説明を示すエレベータのかごの平面図である。
【図４】この発明の実施例１におけるエレベータ閉じ込め故障発生時の救出動作の流れを説明するためのフローチャートである。
【発明を実施するための形態】
【実施例１】
【００１３】
図１〜図３において、１はエレベータのかご、２はエレベータのかごドア、３はかご１の上部に設けられたエレベータのかご上電源装置、４はかご１の上部に設けられたアナウンス装置用バッテリーで、かご上電源装置３に接続されており、エレベータの通常運転中は、図３（ａ）に示すような閉回路の経路でアナウンス装置用バッテリー４を充電している。５はかご１の上部に設けられたアナウンス装置で、アナウンス装置用バッテリー４に接続されており、閉じ込め救出時にかご内の乗客に注意喚起、例えば「段差があるのでご注意ください」等のアナウンスを自動的かつ継続的に繰り返し流すものである。エレベータの通常運転中は、図３（ａ）に示すようにアナウンス装置の電源は遮断された状態となっているが、エレベータ電源が遮断された状態では、図３（ｂ）に示すような閉回路の経路でアナウンス装置５の電源が投入された状態となる。６はアナウンス装置５に接続されたスピーカーで、かご１の上部に設けられており、閉じ込め救出時にかご内の乗客に注意喚起のアナウンスを自動的かつ継続的に繰り返し流す。そして、この注意喚起のアナウンスは、電源が遮断されるまで継続的に流される。７はかご１の上部に設けられたアナウンス装置側センサーで、磁気センサーなどからなる。８はかごドア２の上部に設けられたかごドア側センサーで、磁気センサーなどからなる。このアナウンス装置側センサー７とかごドア側センサー８とでかごドア２の戸開を検出する戸開検出装置を構成している。アナウンス装置５の電源が投入されている状態（エレベータ電源が遮断された状態）で、図３（ｃ）に示すように、アナウンス装置側センサー７とかごドア側センサー８とが近接している状態（エレベータのかごドアが閉じている状態）では、アナウンス装置５は鳴動しない。また、アナウンス装置５の電源が投入されている状態（エレベータ電源が遮断された状態）で、図３（ｄ）に示すように、アナウンス装置側センサー７とかごドア側センサー８とが近接状態から離れた状態（エレベータのかごドアが開いた状態）に変化した場合、アナウンス装置５はスピーカー６から「段差があるのでご注意ください」のアナウンスを鳴動させる。なお、９は乗場床であり、図１はエレベータの閉じ込め故障が発生した時に、エレベータのかご１と乗場床９との間に段差が発生した場合を示している。
【００１４】
次に、エレベータ閉じ込め故障発生時の救出動作の流れについて、図４により説明する。
先ず、エレベータかご１内に乗客が居る状態で起動（走行）し（ステップＳ１）、エレベータかご１内に乗客が居る状態で閉じ込め故障が発生すると（ステップＳ２）、閉じ込められている状態の乗客の救出を開始する（ステップＳ３）。次に、救出のため、エレベータの電源を遮断する（ステップＳ４）。そして、エレベータの電源が遮断されると、かご上に設けられたアナウンス装置５の電源が投入され（ステップＳ５）、救出のため、エレベータのかご１を救出可能位置に設定する（ステップＳ６）。次に、救出のため、エレベータのかごドア２を開放する（ステップＳ７）。エレベータのかごドア２が開放されると、かご上に設けられたアナウンス装置側センサー７とかごドア上に設けられたかごドア側センサー８が離れ、かごドア２が開いたことをアナウンス装置５が認識して、「段差があるのでご注意ください」等のアナウンスを鳴動させて注意を喚起する（ステップＳ８）。次に、ドア開放完了後、乗客がかご１から降車するが、この際、注意喚起のアナウンスを継続的に鳴動させているため、乗客に注意喚起をさせながら降車させることが可能となる（ステップＳ９）。そして、救出完了後、エレベータを復帰させ、復帰完了時にエレベータの電源を投入する（ステップＳ１０）。エレベータの電源が投入されると、アナウンス装置５の電源が遮断される（ステップＳ１１）。なお、エレベータが通常運用されている時は、アナウンス装置５は鳴動しない。
【符号の説明】
【００１５】
１  エレベータのかご
２  エレベータのかごドア
３  エレベータのかご上電源装置
４  アナウンス装置用バッテリー
５  アナウンス装置
６  スピーカー
７  アナウンス装置側センサー
８  かごドア側センサー
９  乗場床
【図１】
2011051705.tif 000003
【図２】
2011051705.tif 000004
【図３】
2011051705.tif 000005
【図４】
2011051705.tif 000006